【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
音声信号の処理を制御する音声制御装置に前記音声信号を出力し、外部端子が接続可能な音声出力装置であって、
前記外部端子を介して外部へ前記音声信号を出力する出力端子と、
前記外部端子が、前記出力端子に接続されているか否かを検出する検出手段と、
前記検出手段による検出結果に基いて制御信号を生成する生成手段と、
前記音声制御装置が前記制御信号に基いて前記音声信号の処理を制御するために、前記生成された制御信号を前記音声制御装置に送信する送信手段と
を具備する音声出力装置。
【請求項２】
請求項１に記載の音声出力装置であって、
前記送信手段は、前記音声信号及び前記制御信号を送信可能なＨＤＭＩ（High-Definition Multimedia Interface）を有する音声出力装置。
【請求項３】
請求項２に記載の音声出力装置であって、
前記ＨＤＭＩとは異なる形式で前記音声信号を出力する出力手段をさらに具備する音声出力装置。
【請求項４】
請求項３に記載の音声出力装置であって、
前記出力手段は、所定の形式で圧縮された圧縮音声信号を出力可能である音声出力装置。
【請求項５】
請求項２に記載の音声出力装置であって、
前記送信手段は、前記ＨＤＭＩのＣＥＣ（Consumer Electronics Control）ライン経由で前記制御信号を送信する音声出力装置。
【請求項６】
請求項２に記載の音声出力装置であって、
前記ＨＤＭＩは、無線タイプまたは有線タイプである音声出力装置。
【請求項７】
請求項１に記載の音声出力装置であって、
前記外部端子が、ヘッドフォンの接続端子、イヤフォンの接続端子、頭部搭載型スピーカの接続端子、または据置型スピーカの接続端子である音声出力装置。
【請求項８】
外部端子を介して外部へ音声信号を出力する出力端子を有する音声出力装置から出力された前記音声信号が入力される音声制御装置であって、
前記音声信号を処理する音声処理部と、
前記音声出力装置が、前記外部端子が前記出力端子に接続されているか否かを検出し、検出結果に基いて制御信号を生成し、前記生成された制御信号を送信した場合、前記送信された制御信号を受信する受信手段と、
前記受信した制御信号に基いて、前記音声処理部による前記音声信号の処理を制御する制御手段と
を具備する音声制御装置。
【請求項９】
請求項８に記載の音声制御装置であって、
前記制御手段は、
前記外部端子が前記出力端子に接続されていることを前記検出手段が検出した場合、前記制御信号に基いて、前記音声処理部からの前記音声信号の出力を停止するように前記音声処理部を制御し、前記外部端子が前記出力端子に接続されていないことを前記検出手段が検出した場合、前記制御信号に基づいて、前記音声処理部からの前記音声信号の出力を許可するように前記音声処理部を制御する音声制御装置。
【請求項１０】
請求項８に記載の音声制御装置であって、
前記受信手段は、前記音声信号及び前記制御信号を受信可能なＨＤＭＩを有する音声制御装置。
【請求項１１】
請求項１０に記載の音声制御装置であって、
前記ＨＤＭＩとは異なる形式で前記音声信号が入力される入力手段をさらに具備する音声制御装置。
【請求項１２】
請求項１０に記載の音声制御装置であって、
前記受信手段は、前記ＨＤＭＩのＣＥＣ（Consumer Electronics Control）ライン経由で前記制御信号を受信する音声制御装置。
【請求項１３】
外部端子が接続可能な音声制御システムであって、
前記外部端子を介して外部へ音声信号を出力する出力端子と、
前記外部端子が、前記出力端子に接続されているか否かを検出する検出手段と、
前記検出手段による検出結果に基いて前記制御信号を生成する生成手段と、
前記生成された制御信号を送信する送信手段とを有し、前記音声信号を外部に出力する音声出力装置と、
前記出力された音声信号が入力され、前記入力された音声信号を処理する音声処理部と、
前記送信された制御信号を受信する受信手段と、
前記受信した制御信号に基いて、前記音声処理部による前記音声信号の処理を制御する制御手段とを有する音声制御装置と
を具備する音声制御システム。
【請求項１４】
音声信号の処理を制御する音声制御装置から出力された前記音声信号が入力され、外部端子が接続可能な音声入力装置であって、
前記入力された音声信号を、前記外部端子を介して外部へ出力する出力端子と、
前記外部端子が、前記出力端子に接続されているか否かを検出する検出手段と、
前記検出手段による検出結果に基いて、制御信号を生成する生成手段と、
前記音声制御装置が前記制御信号に基いて前記音声信号の処理を制御するために、前記生成された制御信号を前記音声制御装置に送信する送信手段と
を具備する音声入力装置。
【請求項１５】
請求項１４に記載の音声入力装置であって、
前記送信手段は、
音声送信装置から送信された前記音声信号が入力された前記音声制御装置に、該入力された音声信号の処理を制御させるために、前記生成された制御信号を前記音声制御装置に送信する音声入力装置。
【請求項１６】
外部端子を介して外部へ音声信号を出力する出力端子を有する音声入力装置に、前記音声信号を出力する音声制御装置であって、
前記音声信号を処理する音声処理部と、
前記音声入力装置が、前記外部端子が前記出力端子に接続されているか否かを検出し、検出結果に基いて制御信号を生成し、前記生成された制御信号を送信した場合、前記送信された制御信号を受信する受信手段と、
前記受信した制御信号に基いて前記音声処理部による前記音声信号の処理を制御する制御手段と
を具備する音声制御装置。
【請求項１７】
請求項１６に記載の音声制御装置であって、
音声送信装置から送信された前記音声信号が入力される音声入力手段をさらに具備し、
前記制御手段は、前記音声処理部による前記入力された音声信号の処理を制御する音声制御装置。
【請求項１８】
外部端子が接続可能な音声入力装置と、音声信号を前記音声入力装置へ出力する音声制御装置とを備える音声制御システムであって、
前記音声入力装置は、
前記音声制御装置から出力された前記音声信号が入力される入力手段と、
前記入力された音声信号を、前記外部端子を介して外部へ出力する出力端子と、
前記外部端子が、前記出力端子に接続されているか否かを検出する検出手段と、
前記検出手段による検出結果に基いて制御信号を生成する生成手段と、
前記生成された制御信号を送信する送信手段とを有し、
前記音声制御装置は、
前記音声信号を処理する音声処理部と、
前記送信された制御信号を受信する受信手段と、
前記受信した制御信号に基いて前記音声処理部による前記音声信号の処理を制御する制御手段とを有する音声制御システム。
【請求項１９】
請求項１８に記載の音声制御システムであって、
前記音声入力装置へ前記音声信号を送信する音声送信装置をさらに具備し、
前記音声制御装置は、前記音声送信装置から送信される前記音声信号を受信し、
前記音声処理部は、前記受信した音声信号を処理する音声制御システム。
【請求項２０】
外部端子を介して音声信号を外部に出力するための前記出力端子に、前記外部端子が接続されているか否かを検出し、
前記検出の結果に基いて前記制御信号を生成し、
前記生成された制御信号を送信する送信し、
前記送信された制御信号を受信し、
前記受信した制御信号に基いて、音声処理部による前記音声信号の処理を制御する音声制御方法。